(57)【要約】【課題】曲げ荷重による基台の変形を抑制し、揺れによる転倒を確実に防止することができるスタンドを提供する。【解決手段】略矩形状の台座部２に、重量物Ｗを載置する基台２１と、この基台２１を囲む台座部２の周縁より上方へ起立し、基台２１からの重量物Ｗの脱落を規制する縁２２と、この縁２２の前側の短尺縁２２３の中央位置で支柱部の下側の中空パイプ３１の下端を揺動自在に支持する支柱支持部２３と、左右の長尺縁の後端部に基端が揺動自在に支持され、先端が下側の中空パイプの上端位置を固定する一対の支え部材２４とを備える。そして、基台２１の各板材２１１に、短尺縁２２３，２２４方向へ延びる２条のリブ２２５，２２５を設ける。基台２１に、その四隅において長尺縁２２１，２２２及び短尺縁２２３，２２４の端部同士を連結する筋交いプレート２６を設ける。【選択図】図７
2014066966.tif 000002
【特許請求の範囲】
【請求項１】
平坦な設置面上に設置される台座部とこの台座部上に立設された支柱部とを備えたスタンドであって、
上記台座部は、
錘となる重量物を載置する平面視で略矩形状の基台と、
この基台の周縁より上方へ起立し、当該基台からの重量物の脱落を規制する縁と、
この縁のうちの短尺な縁同士が互いに向き合う一方の短尺縁の略中央位置に設けられ、その短尺縁と平行に延びる軸を介して上記支柱部の下端を揺動自在に支持する支柱支持部と、
上記縁のうちの長尺な縁同士の他方の短尺縁側においてそれぞれ短尺縁と平行に延びる軸を介して基端が揺動自在に支持され、上記重量物との干渉を回避しつつ上方へ延びて各先端がそれぞれ上記支柱部の途中位置に固定具を介して固定される支え部材と、
を備えており、
上記基台の重量物載置面には、上記長尺縁方向又は上記短尺縁方向へ延びる複数のリブが設けられているとともに、上記重量物載置面の四隅において上記長尺縁及び上記短尺縁の端部同士を連結する筋交いプレートが設けられていることを特徴とするスタンド。
【請求項２】
上記台座部の下面には、上記各長尺縁の両端部を上記各短尺縁に沿って延び、かつ両端が上記各長尺縁を超えて外方に突出する長尺金具が脱着自在に取り付けられている請求項１に記載のスタンド。
【請求項３】
上記台座部の最下面には、弾性材が取り付けられている請求項１又は請求項２に記載のスタンド。
【発明の詳細な説明】
【技術分野】
【０００１】
本発明は、台座部とこの台座部上に立設された支柱部とを備えたスタンドに関する。
【背景技術】
【０００２】
従来より、この種スタンドとしては、支柱部を設置面積の大きな台座部に対し回動自在に取り付けるとともに、この支柱部を台座部に対して起立させた状態で保持する固定リングを設け、支柱部下端の外周面に対し固定リングの内周面を密接させることで、支柱部のがたつきを防止するようにしたものが知られている（例えば、特許文献１参照）。
【０００３】
ところで、時節に応じて鯉のぼりや旗などのポールを、台座部上に立設させた支柱部に取り付けるようにしたスタンドがある。このようなスタンドにおいても、上記従来のスタンドを適用して支柱部のがたつきを防止したいという要求がある。
その場合、鯉のぼりや旗などは風になびくものであるため、支柱部を介して台座部に揺れが伝達され、その揺れによって台座部の一部が設置面から浮き上がるおそれがある。
かかる点から、台座部の上に錘となる重量物（例えばコンクリートブロックなど）を載置するなどし、設置面に対する台座部の設置圧を高めるようにすることが考えられる。
【０００４】
しかしながら、台座部の上に重量物を載置しているだけでは、支柱部を介して台座部に伝達される揺れによって、重量物がずれるおそれがあり、重量物がずれて台座部上から離脱すると、設置面に対する台座部の設置圧を確実に高めておくことができない。
しかも、台座部に対し支柱部が下端のみで保持されていると、支柱部を介して台座部に伝達される揺れが支柱部の下端のみに集中的に作用し、支柱部を効率よく支えることができず、支柱部の安定性が損なわれる。
【０００５】
そこで、本発明者は、先に特願２０１０−２４２０４０号（特開２０１２−９３６１５号）において、台座部に平面視で略矩形状の基台を設けるとともに、この基台の周縁より上方へ起立する縁を設け、基台からの重量物の脱落を規制するようにしたスタンドを提案している（特許文献２参照）。このスタンドは、縁のうちの互いに向き合う一方の対向縁の略中央位置に支柱支持部を介して下端が揺動自在に支持された支柱部と、縁の他方の対向縁の両端側にそれぞれ軸を介して基端が揺動自在に支持され、先端が重量物との干渉を回避しつつ延びてそれぞれ支柱部の途中位置に固定具を介して固定された支え部材とを備えている。この場合、支柱部を効率よく支えて支柱部の安定性を高めつつ、支柱部を介して台座部に伝達された揺れによる基台上からの重量物の離脱を確実に防止して設置面に対する台座部の設置圧を重量物によって円滑に高めることができるようにしている。
【先行技術文献】
【特許文献】
【０００６】
【特許文献１】特開２００４−２０５６４２号公報
【特許文献２】特開２０１２−９３６１５号公報
【発明の概要】
【発明が解決しようとする課題】
【０００７】
ところが、上記提案のものでは、重量物を載せた基台に対し支柱部及び支え部材を介して揺れが伝達されるため、基台に曲げ荷重が作用し、基台が変形するおそれがある。このとき、基台が変形すると、設置面に対して台座部の設置圧を重量物によって均一に作用させることができず、揺れによる転倒が危惧される。
【０００８】
本発明は、かかる点に鑑みてなされたものであり、その目的とするところは、基台に作用する曲げ荷重による基台の変形を抑制し、揺れによる転倒を確実に防止することができるスタンドを提供することにある。
【課題を解決するための手段】
【０００９】
上記目的を達成するため、本発明では、平坦な設置面上に設置される台座部とこの台座部上に立設された支柱部とを備えたスタンドを前提とする。更に、上記台座部に、錘となる重量物を載置する平面視で略矩形状の基台と、この基台の周縁より上方へ起立し、当該基台からの重量物の脱落を規制する縁と、この縁のうちの短尺な縁同士が互いに向き合う一方の短尺縁の略中央位置に設けられ、その短尺縁と平行に延びる軸を介して上記支柱部の下端を揺動自在に支持する支柱支持部と、上記縁のうちの長尺な縁同士の他方の短尺縁側においてそれぞれ短尺縁と平行に延びる軸を介して基端が揺動自在に支持され、上記重量物との干渉を回避しつつ上方へ延びて各先端がそれぞれ上記支柱部の途中位置に固定具を介して固定される支え部材と、を設ける。そして、上記基台の重量物載置面に、上記長尺縁方向又は上記短尺縁方向へ延びる複数のリブを設けるとともに、上記重量物載置面の四隅において上記長尺縁及び上記短尺縁の端部同士を連結する筋交いプレートを設けることを特徴としている。
【００１０】
この特定事項により、基台の重量物載置面に、長尺縁方向又は短尺縁方向へ延びる複数のリブが設けられているとともに、重量物載置面の四隅において長尺縁及び短尺縁の端部同士を連結する筋交いプレートが設けられているので、基台の重量物載置面及びその四隅が効果的に補強されることになる。これにより、重量物（例えばコンクリートブロックなど）を載せた基台に対し支柱部及び支え部材を介して伝達される揺れによって曲げ荷重が作用しても、重量物載置面のリブ及び四隅の筋交いプレートによって基台の変形が抑制され、設置面に対して台座部の設置圧を重量物により均一に作用させて揺れによる転倒を確実に防止することが可能となる。
【００１１】
また、上記台座部の下面に、上記各長尺縁の両端部を上記各短尺縁に沿って延び、かつ両端が上記各長尺縁を超えて外方に突出する長尺金具を脱着自在に取り付けていてもよい。
【００１２】
この場合には、設置面に対して基台の設置圧が作用する距離が、長尺金具によって各長尺縁の両端部よりも各短尺縁方向外方へ拡張され、揺れによる転倒をより確実に防止することができる。
【００１３】
更に、上記台座部の最下面に、弾性材を取り付けていてもよい。
【００１４】
この場合には、台座部が接地面に対し弾性材を介して設置されているので、台座部を設置した際の接地面に対する傷付きを防止することができる上、滑り止め効果を発揮することができる。
【発明の効果】
【００１５】
以上、要するに、基台の重量物載置面を、長尺縁方向又は短尺縁方向へ延びる複数のリブによって効果的に補強するとともに、重量物載置面の四隅を筋交いプレートによって効果的に補強することで、重量物載置面の曲げ荷重による変形を抑制し、設置面に対して台座部の設置圧を重量物により均一に作用させて揺れによる転倒を確実に防止することができる。
【図面の簡単な説明】
【００１６】
【図１】本発明の実施の形態に係るスタンドを用いて鯉のぼりの２連式の支柱部を保持するようにした使用状態を説明する外観図である。
【図２】図１の支柱部の下端を支持する支柱支持部付近を斜め側方から見た分解斜視図である。
【図３】図１の支柱部の上端付近を斜め側方から見た分解斜視図である。
【図４】図１の一方の支え部材の基端付近を斜め側方から見た分解斜視図である。
【図５】図１の各支え部材の先端付近を斜め側方から見た分解斜視図である。
【図６】図５の各支え部材の先端付近を後方から見た斜視図である。
【図７】図１のスタンドの台座部に対し取り付けられる硬質ゴム脚の分解斜視図である。
【図８】実施の形態の変形例に係るスタンドの台座部に対し取り付けられる長尺金具の分解斜視図である。
【図９】図８の長尺金具の側面図である。
【図１０】実施の形態のその他の変形例に係るスタンドの台座部に長尺金具及び短尺金具を取り付けた状態での斜視図である。
【図１１】図１０の長尺金具及び短尺金具の分解斜視図である。
【図１２】実施の形態のその他の変形例に係るスタンドを用いて鯉のぼりの３連式の支柱部を保持するようにした使用状態を説明する外観図である。
【図１３】実施の形態のその他の変形例に係るスタンドの台座部に対し重量物として複数のコンクリートブロックを適用した場合の斜視図である。
【図１４】実施の形態のその他の変形例に係るスタンドを用いて幟の２連式の支柱部を保持するようにした使用状態を説明する外観図である。
【発明を実施するための形態】
【００１７】
以下、添付図面を参照しながら、本発明の実施の形態について説明し、本発明の理解に供する。尚、以下の実施の形態は、本発明を具体化した一例であって、本発明の技術的範囲を限定する性格のものではない。
まず、図１を用いて、本発明の実施の形態に係るスタンド１について説明する。
【００１８】
図１に示すように、上記スタンド１は、庭の平坦な設置面としての地面に設置される平面視で略矩形状の台座部２と、この台座部２上に立設された支柱部３とを備えている。上記台座部２は、錘となる重量物Ｗを載置する基台２１と、この基台２１を囲む台座部２の周縁より上方へ起立し、上記基台２１からの重量物Ｗの脱落を規制する縁２２と、上記支柱部３の下端を揺動自在に支持する支柱支持部２３と、上記支柱部３の途中位置を支える一対の支え部材２４，２４とを備えている。また、上記支柱部３は、２連式のものであり、互いに径が異なる２本の中空パイプ３１，３２を備えている。そして、上記重量物Ｗとしては、幅２００ｍｍ、長さ３１０ｍｍ、高さ１５０ｍｍのポリエチレン樹脂よりなる矩形箱状の２個の注水タンクＷ１，Ｗ１が適用され、満水時には２個合わせて約１８６００ｇの重さとなっている。この場合、各注水タンクＷ１は、折り畳み可能に構成され、基台２１上に載置された状態で注水される水によって拡張されて復元する。
【００１９】
また、図２に示すように、上記各中空パイプ３１，３２のうち、大径となる下側の中空パイプ３１の上下両端及び小径な上側の中空パイプ３２の上下両端には、それぞれ直径上に貫通する貫通孔３３（図２では下側の中空パイプ３１の下端のもののみ示す）が設けられている。そして、図３にも示すように、上記下側の中空パイプ３１と上側の中空パイプ３２とは、下側の中空パイプ３１の上端より上側の中空パイプ３２の下端を挿通させた状態で、互いの貫通孔３３に挿通される蝶ボルト３５及び蝶ナット３６によって継がれている。この場合、下側の中空パイプ３１の内径と上側の中空パイプ３２の外径との間には、両者が摺動可能となる程度の隙間を存している。
【００２０】
そして、上記上側の中空パイプ３２の上端には、伸縮ポール５が取り付けられている。この伸縮ポール５は、基端ポール材５２と、この基端ポール材５２に対し伸縮自在に収容された４本のポール材５３〜５６とを備えている。上記基端ポール材５２の下端部には、上側の中空パイプ３２の上端の貫通孔３３と対応するように直径上に貫通する貫通孔５０が設けられている。そして、上記上側の中空パイプ３２と基端ポール材５２とは、上側の中空パイプ３２の上端に基端ポール材５２の下端を挿通させた状態で、互いの下側の貫通孔３３，５０に頭部が円環状に形成されたヒートンボルト５９が挿通され、蝶ナット（図示せず）によって止着されている。また、上記伸縮ポール５は、その先端の先端ポール材５６を除く各ポール材５２〜５５の先端にロック具５７を備えている。このロック具５７は、各ポール材５２〜５５の先端外周に形成されたテーパー状のねじ部（図示せず）と、このねじ部に螺合するねじ部（図示せず）を内周側に有する操作筒５７１と、この操作筒５７１の内部に内包され、上記操作筒５７１を締め付けた際に当該操作筒５７１のねじ部よりも先端側において先端側の各ポール材５３〜５６の外周に圧接される樹脂製のリング材（図示せず）とを備え、この操作筒５７１を締め付けて先端側の各ポール材５３〜５６の外周にリング材を圧接させることで、その先端側の各ポール材５３〜５６に基端側の各ポール材５２〜５５の先端を強固に挾持して固定できるようにしている。
【００２１】
上記伸縮ポール５の最先端のポール材５６の先端には、滑車（図示せず）が取り付けられている。この滑車には掲揚ロープ６９が巻き掛けられ、掲揚ロープ６９の巻き取り又は送り出しによって、鯉のぼりの掲揚を可能にしている。この場合、掲揚ロープ６９は、環状に結ばれ、下方に位置する部分がヒートンボルト５９の円環状の頭部に止着されている。
【００２２】
また、図１に示すように、上記基台２１は、上記縁２２の互いに対向する長尺縁２２１，２２２同士を連結するように短尺縁２２３，２２４に沿って延びる重量物載置面としての３枚の板材２１１，２１１，…を備えている。この各板材２１１は、基台２１上に載置された重量物が抜け落ちない程度の隙間（例えば、６０ｍｍ程度の隙間）を存して並設され、重量物載置面を構成している。この場合、台座部２は、その長尺縁２２１，２２２が４８０ｍｍに、短尺縁２２３，２２４が３４５ｍｍにそれぞれ設定され、２個の注水タンクＷ１，Ｗ１が並べて載置されるようになっている。なお、以下の説明において、便宜上、台座部２の前後に短尺縁２２３，２２４が、台座部２の左右に長尺縁２２１，２２２がそれぞれ位置しているものとして説明する。
【００２３】
上記支柱支持部２３は、図２に示すように、上記前後の短尺縁２２３，２２４の中央位置に切欠部２２０を有し、前側の短尺縁２２３の切欠部２２０には外方（図１では左側方）へ突出する凸状の突起部材２５が設けられている。この突起部材２５は、切欠部の左右両側の短尺縁２２３に対しカシメられて取り付けられている。一方、後側の短尺縁２２４の切欠部２２０には、当該短尺縁２２４と同じ高さの平板部材２９（図４参照）がカシメられて取り付けられている。また、突起部材２５の互いに対向する対向片２５１，２５１には、ボルト挿通孔２５２（図２では一方のみ示す）が設けられている。そして、上記支柱部３の下端つまり下側の中空パイプ３１の下端は、その各貫通孔３３を突起部材２５の各対向片２５１のボルト挿通孔２５２に対し合致させた状態で当該各貫通孔３３及びボルト挿通孔２５２に挿通される蝶ボルト３５及び蝶ナット３６によって支持されている。この場合、蝶ボルト３５は、前側の短尺縁２２３と平行に延びる軸として機能し、下側の中空パイプ３１の下端を突起部材２５の対向片２５１，２５１間で前後方向に揺動自在に支持している。
【００２４】
また、図４にも示すように、上記各支え部材２４は、パイプ状に形成され、その基端及び先端に平板状の支持片２４１，２４２がそれぞれ一体的に設けられている。この各支持片２４１，２４２には、ボルト挿通孔２４３（図５では一方のみ示す）が設けられている。また、上記縁２２のうちの後側の短尺縁２２４（図１では右側）の左右両端側となる左右の長尺縁２２１，２２２の後端部には、ボルト挿通孔（図示せず）が設けられている。そして、上記各支え部材２４の基端の支持片２４１は、そのボルト挿通孔２４３を上記左右の長尺縁２２１，２２２の後端部のボルト挿通孔に合致させた状態でリベット７１によって回動自在に支持されている。この場合、リベット７１の軸は、後側の短尺縁２２４と平行に延びる軸として機能し、各支え部材２４の基端を左右の長尺縁２２１，２２２の後端部に対し前後方向に揺動自在に支持している。
【００２５】
一方、図５及び図６に示すように、上記各支え部材２４の先端の支持片２４２は、上記支柱部３の途中位置つまり下側の中空パイプ３１の上端位置に固定具４を介して固定されている。この固定具４は、上記下側の中空パイプ３１の上端位置の外周面に対し縮径してクランプ可能となるように周方向一端が開口し、かつその開口端に互いに対面するフランジ４１，４１を有するクランプ具４２と、上記各フランジ４１に設けられた挿通孔４１１（図５では一方のみ示す）及び上記各支え部材２４の先端のボルト挿通孔２４３（図５では一方のみ示す）に挿通され、当該各フランジ４１，４１同士を近接させるように上記下側の中空パイプ３１の上端位置の外周面に上記クランプ具４２を縮径させてクランプさせる蝶ボルト４３及び蝶ナット４４とを備えている。この場合、支柱部３（下側及び上側の中空パイプ３１，３２）は、支柱支持部２３及び各支え部材２４によって、鉛直線よりも若干後傾した状態で支持されている。
【００２６】
また、図１に示すように、上記各支え部材２４のパイプ部分は、上記台座部２の基台２１上に載置した２個の注水タンクＷ１，Ｗ１との干渉を回避するように基端同士の間隔を保ちつつ途中位置（例えば基端から五分の二程度の位置）まで延び、この途中位置より下側の中空パイプ３１の上端位置に向かうように内方向きに折曲されている。
【００２７】
そして、図７に示すように、上記台座部２の基台２１の各板材２１１には、短尺縁２２３，２２４方向へ延びる２条のリブ２２５，２２５が設けられている。また、基台２１には、その四隅において長尺縁２２１，２２２及び短尺縁２２３，２２４の端部同士を連結する筋交いプレート２６が設けられている。この筋交いプレート２６は、基台２１の四隅において平面視で略二等辺三角形状を呈し、その等しい二辺より長尺縁２２１，２２２及び短尺縁２２３，２２４の端部同士の下端から外周面に沿って立ち上がって当該両縁の端部にカシメられて取り付けられている。また、地面に設置される台座部２の最下面、つまり各筋交いプレート２６の下面には、ＰＶＣ（ポリ塩化ビニル）などからなる弾性材としての硬質ゴム脚２７がそれぞれ取り付けられている。各硬質ゴム脚２７は、円錐台状を呈し、筋交いプレート２６に設けられたボルト挿通孔２６１から軸心を貫通する貫通孔２７１に上方から挿通されるボルト２７２を下方からのワッシャ２７３及びナット２７４によって止着することで取り付けられる。
【００２８】
次に、スタンド１を組み立てる際の手順について説明する。
まず、台座部２の四隅の筋交いプレート２６のボルト挿通孔２６１及び各硬質ゴム脚２７の貫通孔２７１にボルト２７２を上方から挿通し、下方からのワッシャ２７３及びナット２７４によって各硬質ゴム脚２７を筋交いプレート２６に止着する。
【００２９】
それから、台座部２を庭の平坦な地面に設置し、各支え部材２４を基端（支持片２４１）のリベット７１をそれぞれ支点にして先端（支持片２４２）を上方へ起立させる。このとき、各支え部材２４の先端には、蝶ボルト４３及び蝶ナット４４を緩めてクランプ具４２を拡径させた状態で固定具４が取り付けられている。
【００３０】
次いで、下側の中空パイプ３１の下端を支柱支持部２３に支持する。つまり、前側の短尺縁２２３の突起部材２５の対向片２５１，２５１のボルト挿通孔２５２に下側の中空パイプ３１の下端の各貫通孔３３を合致させた状態で、当該各貫通孔３３及びボルト挿通孔２５２に挿通される蝶ボルト３５及び蝶ナット３６によって下側の中空パイプ３１の下端を支柱支持部２３に支持する。このとき、下側の中空パイプ３１の下端の各貫通孔３３は、上端の各貫通孔３３よりも端部からの長さが短いので、取り付けミスが生じることはない。
【００３１】
その後、固定具４のクランプ具４２に下側の中空パイプ３１を上端から挿通した後、下側の中空パイプ３１にその上端から上側の中空パイプ３２の下端を挿通し、各貫通孔３３同士を互いに合致させた状態で当該各貫通孔３３に挿通される蝶ボルト３５及び蝶ナット３６によって取り付ける。
【００３２】
それから、上側の中空パイプ３２の上端に伸縮ポール５の基端ポール材５２の下端を挿通し、上側の中空パイプ３２の上端の貫通孔３３と伸縮ポール５の基端ポール材５２の下端の貫通孔５０とを合致させた状態で、ヒートンボルト５９を挿通して蝶ナットで止着することによって取り付ける。このとき、伸縮ポール５は、各ポール材５３〜５６をそれぞれ伸張させてロック具５７により固定しておく。また、各支え部材２４の先端の固定具４を固定、つまり蝶ボルト４３及び蝶ナット４４を締め付けてクランプ具４２を縮径させることによって下側の中空パイプ３１の上端に各支え部材２４の先端を固定しておく。
【００３３】
しかる後、台座部２の基台２１の各板材２１１上に空の注水タンクＷ１，Ｗ１を２個載置し、ホースなどを用いて各注水タンクＷ１に水を注入する。
【００３４】
このように、台座部２の基台２１上に載置した２個の注水タンクＷ１，Ｗ１は、台座部２の周縁より上方へ起立する縁２２によって、基台２１からの脱落が規制されている。そのため、鯉のぼりや旗などが風になびく際に伸縮ポール５及び支柱部３を介して台座部２に揺れが伝達されても、各注水タンクＷ１がずれて基台２１上から離脱することがない。これにより、台座部２の地面上に対する設置圧が各注水タンクＷ１によって円滑に高められる。
【００３５】
また、台座部２の前側の短尺縁２２３の略中央位置で支柱支持部２３により下端が支持された下側の中空パイプ３１の上端位置が、左右の長尺縁２２１，２２２の後端部においてそれぞれ基端が支持された各支え部材２４の先端の固定具４によって固定され、下側の中空パイプ３１の上端位置がその中空パイプ３１の下端と向き合う後側の短尺縁２２４の左右両端側から支えられる。このため、支柱部３を介して台座部２に伝達される揺れが支柱部３の下端とこの下端と向き合う後側の短尺縁２２４の左右両端側とに分散されて支柱部３が効率よく支えられ、支柱部３の安定性が高められている。更に、各支え部材２４が途中位置まで基端同士の間隔を保ちつつ延びているため、台座部２の基台２１上に載置された各注水タンクＷ１との干渉が円滑に回避され、嵩高い重量物であっても台座部２の基台２１上に容易に載置される。
【００３６】
したがって、本実施の形態では、基台２１の各板材２１１に、短尺縁２２３，２２４方向へ延びる２条のリブ２２５，２２５が設けられているとともに、基台２１の四隅において長尺縁２２１，２２２及び短尺縁２２３，２２４の端部同士を連結する筋交いプレート２６が設けられているので、基台２１の各板材２１１及び基台２１の四隅が効果的に補強されることになる。これにより、２個の注水タンクＷ１を載せた基台２１に対し支柱部３及び各支え部材２４を介して伝達される揺れによって曲げ荷重が作用しても、基台２１の各板材２１１のリブ２２５及び四隅の筋交いプレート２６によって基台２１の変形が抑制され、地面に対して台座部２の設置圧を各注水タンクＷ１により均一に作用させて揺れによる転倒を確実に防止することができる。
【００３７】
また、台座部２の最下面となる各筋交いプレート２６の下面に硬質ゴム脚２７がそれぞれ取り付けられているので、台座部２が地面に対し四隅の硬質ゴム脚２７を介して設置され、台座部２を設置した際の地面に対する傷付きを防止することができる上、滑り止め効果を発揮することができる。
【００３８】
なお、本発明は、上記実施の形態に限定されるものではなく、その他種々の変形例を包含している。例えば、上記実施の形態では、基台２１を地面に設置したが、図８及び図９に示すように、台座部２の四隅の各筋交いプレート２６に、各長尺縁２２１，２２２の両端部を各短尺縁２２３，２２４に沿って左右方向へ延びる前後一対の長尺金具３７を脱着自在に取り付け、基台２１が長尺金具３７を介して地面に設置されていてもよい。この各長尺金具３７は、断面略コの字状に形成され、各筋交いプレート２６のボルト挿通孔２６１に対応する位置に内側貫通孔３７０を有し、各筋交いプレート２６のボルト挿通孔２６１から内側貫通孔３７０に上方から挿通されるボルト２７２を下方からのワッシャ２７３及びナット２７４によって止着することで取り付けられる。各長尺金具３７の両端が各長尺縁２２１，２２２を超えて外方に突出しており、各硬質ゴム脚２７は、各長尺金具３７の両端にそれぞれ設けられた外側貫通孔３７１から各硬質ゴム脚２７の貫通孔２７１に上方から挿通されるボルト２７２を下方からのワッシャ２７３及びナット２７４によって止着することで取り付けられる。この場合、地面に対して基台２１の設置圧が作用する距離が、各長尺金具３７によって各長尺縁２２１，２２２の両端部よりも各短尺縁２２３，２２４方向外方へ拡張され、揺れによる転倒をより確実に防止することが可能となる。
【００３９】
また、図１０及び図１１に示すように、各長尺金具３７の先端に、前後方向へ延びる左右一対の短尺金具３８の中途部を脱着自在に取り付け、基台２１が短尺金具３８を介して地面に設置されていてもよい。この各短尺金具３８は、平板状に形成され、その中途部（図１０及び図１１では長手方向で略３対１の比率となる位置）に設けられた貫通孔３８１を備えている。各短尺金具３８は、各長尺金具３７の貫通孔３７１から各短尺金具３８の貫通孔３８１に上方から挿通されるボルト２７２を下方からのワッシャ２７３及びナット２７４によって止着することで取り付けられている。この場合、地面に対して基台２１の設置圧が作用する距離が、各短尺金具３８によってさらに前後方向へ拡張され、揺れによる転倒をさらに確実に防止することが可能となる。なお、各短尺金具３８の下面にシート状の弾性材が取り付けられていてもよいのはいうまでもない。
【００４０】
また、上記実施の形態では、支柱部３として、２連式の２本の中空パイプ３１，３２を用いたが、図１２に示すように、より長い鯉のぼりの掲揚を可能とする３連式の３本の中空パイプ３１，３０，３２が用いられていてもよい。支柱部３は、下側の中空パイプ３１と上側の中空パイプ３２との間に延長パイプ３０を繋いで構成される。この延長パイプ３０は、下側の中空パイプ３１と同一径に形成され、下端より先端が下方に突出する接続管３０１を下端部に取り付けて、下側の中空パイプ３１との接続を可能にしている。
【００４１】
また、上記実施の形態では、重量物Ｗとして矩形箱状の２個の注水タンクＷ１，Ｗ１を適用したが、図１３に示すように、２個のコンクリートブロックＷ２，Ｗ２が基台２１上に載置されていてもよい。
【００４２】
また、上記実施の形態では、吹流しや鯉のぼりを取り付けた伸縮ポール５を支柱部３に支持したが、図１４に示すように、幟９を取り付けた伸縮ポール５が支柱部３に支持されていてもよい。この場合、支柱部３は、支柱支持部２３及び各支え部材２４によって略鉛直線上に起立した状態で支持されている。
【００４３】
また、上記実施の形態では、基台２１に３枚の板材２１１，２１１，…を備えたが、基台が１枚又は２枚の板材によって構成されていてもよい。
【００４４】
更に、上記実施の形態では、台座部２の長尺縁２２１，２２２を４８０ｍｍに、短尺縁２２３，２２４を３４５ｍｍにそれぞれ設定したが、台座部の長尺縁及び短尺縁の寸法はこれに限定されるものではなく、重量物の重量をアップする上で、これ以上の寸法に設定されていてもよいのはいうまでもない。
【符号の説明】
【００４５】
１        スタンド
２        台座部
２１      基台
２１１    板材（重量物載置面）
２２      縁
２２１    左側の長尺縁
２２２    右側の長尺縁
２２３    前側の短尺縁
２２４    後側の短尺縁
２２５    リブ
２３      支柱支持部
２４      支え部材
２６      筋交いプレート
２７      硬質ゴム脚（弾性材）
３        支柱部
３７      長尺金具
４        固定具
Ｗ        重量物
【図１】
2014066966.tif 000003
【図２】
2014066966.tif 000004
【図３】
2014066966.tif 000005
【図４】
2014066966.tif 000006
【図５】
2014066966.tif 000007
【図６】
2014066966.tif 000008
【図７】
2014066966.tif 000009
【図８】
2014066966.tif 000010
【図９】
2014066966.tif 000011
【図１０】
2014066966.tif 000012
【図１１】
2014066966.tif 000013
【図１２】
2014066966.tif 000014
【図１３】
2014066966.tif 000015
【図１４】
2014066966.tif 000016